(57)【要約】【課題】テーブル上に入力ボードを固定する際の部品や、加工工程を削減でき、入力ボードの形状に合わせた再成形も容易で、組立て誤差も吸収でき、設計時間及び、組立時間を短縮できる電子機器の収納ラックと、テーブル上の入力ボード固定方法を提供する。【解決手段】電子機器の収納ラック本体の入力ボード載置部は、引き出しテーブルの上に設けられ、電子機器用の入力ボードを載置する。入力ボードの保持枠構成部材は、横断面形状がＬ字状のゴム部材によって形成されたＬ字状構造体を入力ボードの外周部位の形状に合わせて複数の切断部材に切断して形成される。入力ボードの保持枠は、入力ボード載置部の表面に入力ボードを固定する固定予定部分の周囲に合わせて切断部材を配置した状態で、切断部材の接着部を入力ボード載置部の表面に接合固定することで切断部材のＬ字状のゴム部材の他の片側の外側面によって構成される。【選択図】      図６
2019029614.tif 000002
【特許請求の範囲】
【請求項１】
電子機器を載置する棚板が上下方向に複数段に積層された電子機器の収納ラック本体と、
前記収納ラック本体の少なくとも１つの前記棚板に形成され、前記収納ラック本体の外部に引き出し可能に収納された引き出しテーブルと、
前記引き出しテーブルの上に設けられ、前記電子機器用の入力ボードを載置する入力ボード載置部と、
横断面形状がＬ字状のゴム部材によって形成された長尺なＬ字状構造体を前記入力ボードの外周部位の形状に合わせて複数の切断部材に切断して形成された前記入力ボードの保持枠構成部材と、
前記切断部材のＬ字状の前記ゴム部材の片側の外側面に形成される接着部と、
前記入力ボード載置部の表面に前記入力ボードを固定する固定予定部分の周囲に合わせて前記切断部材を配置した状態で、前記切断部材の前記接着部を前記入力ボード載置部の表面に接合固定することで前記切断部材のＬ字状の前記ゴム部材の他の片側の外側面によって構成された前記入力ボードの保持枠と、
を具備する電子機器の収納ラック。
【請求項２】
前記入力ボードは、キーボード、またはタブレット端末のうちの少なくともいずれか一方である
請求項１に記載の電子機器の収納ラック。
【請求項３】
前記引き出しテーブルは、マウスを収納するマウス収納部を有する
請求項１に記載の電子機器の収納ラック。
【請求項４】
前記収納ラック本体は、前記入力ボードによって操作される前記電子機器の表示装置が搭載された前記棚板を有する
請求項１に記載の電子機器の収納ラック。
【請求項５】
電子機器の棚板が上下方向に複数段に積層された電子機器の収納ラック本体を有し、
前記収納ラック本体の少なくとも１つの前記棚板に前記収納ラック本体の外部に引き出し可能に収納された引き出しテーブルが形成され、
かつ前記引き出しテーブルの上に前記電子機器用の入力ボードを載置する入力ボード載置部が設けられ、前記入力ボード載置部の上に前記入力ボードを固定する引き出しテーブル上の入力ボード固定方法であって、
横断面形状がＬ字状のゴム部材によって形成された長尺なＬ字状構造体を前記入力ボードの外周部位の形状に合わせて複数の切断部材に切断することと、
前記入力ボード載置部の表面に前記入力ボードを固定する固定予定部分の周囲に合わせて前記切断部材を配置し、前記切断部材のＬ字状の前記ゴム部材の片側の外側面を前記引き出しテーブルの表面に接着することと、
前記切断部材を前記引き出しテーブルの表面に接合固定することで前記切断部材のＬ字状の前記ゴム部材の他の片側の外側面によって前記入力ボードの外周部位の形状に合わせた前記入力ボードの保持枠を構成することと、
を具備する引き出しテーブル上の入力ボード固定方法。
【発明の詳細な説明】
【技術分野】
【０００１】
本発明の実施形態は、電子機器の収納ラックと、引き出しテーブル上の入力ボード固定方法に関する。
【背景技術】
【０００２】
地上屋内設備で使用される各種の計測機器などは、電子機器の収納ラックに搭載される場合が多い。収納ラックは、電子機器の棚板が複数段に積層されている。そして、１つの棚板に計測機器が設置されているとともに、他の段の棚板には、計測機器などの電子機器にデータなどを入力するキーボードや、タブレット端末などの入力ボードが装着される。この入力ボードの装着棚には、引き出しテーブルが引き出し可能に収納されている。
【０００３】
ここで、キーボードは、引き出しテーブルに金属製の固定具でこのキーボードの四隅を固定した状態で使用されることが一般的である。この金属製の固定具は、金属板をＬ字形に屈曲させたＬ字形金具と、このＬ字形金具の片側の屈曲片の外面の下端側に外向きに折り曲げた舌片状の折り曲げ部とを有する。折り曲げ部には、複数のねじ穴が形成されている。そして、キーボードの角部にＬ字形金具を当接させた状態で、折り曲げ部のねじ穴を使って引き出しテーブルにＬ字形金具がねじ固定される。また、Ｌ字形金具の内面側には、組立て誤差を吸収させるため、クッションゴムを別に準備し、固定具にクッションゴムを貼付けて使用する。
【先行技術文献】
【特許文献】
【０００４】
【特許文献１】特開２０１４−１４９８２０号公報
【特許文献２】特開２００３−１９０３８号公報
【発明の概要】
【発明が解決しようとする課題】
【０００５】
上記従来構成では、引き出しテーブルにキーボードを固定するために金属製の固定具を使用しているので、組立て誤差を吸収させるため、クッションゴムなどが必要になる。そのため、部品数が多くなる。さらに、金属製の固定具は、引き出しテーブルに取付け穴を形成し、この取付け穴にねじ止め固定しているので、加工工程が多い。また、キーボードの変更時には、引き出しテーブルの取付け穴の位置を変更する必要があるので、設計時間や、組立時間が長くなる可能性がある。
【０００６】
また、引き出しテーブルにキーボードを収容するための凹陥部を形成し、この凹陥部に収容されたキーボードを例えば磁石によって固定する場合もある。この場合は、引き出しテーブルにキーボード用の凹陥部を形成する必要があるので、設計時間や、組立時間が長くなる可能性がある。
【０００７】
実施形態は、引き出しテーブル上に入力ボードを固定する際の部品や、加工工程を削減でき、入力ボードの形状に合わせた再成形も容易で、組立て誤差も吸収でき、設計時間及び、組立時間の短縮ができる電子機器の収納ラックと、引き出しテーブル上の入力ボード固定方法を提供することが課題である。
【課題を解決するための手段】
【０００８】
実施形態の電子機器の収納ラックは、収納ラック本体と、引き出しテーブルと、入力ボード載置部と、前記入力ボードの保持枠構成部材と、接着部と、前記入力ボードの保持枠と、を具備する。前記電子機器の収納ラック本体は、電子機器の棚板が上下方向に複数段に積層されている。前記引き出しテーブルは、前記収納ラック本体の少なくとも１つの前記棚板に形成され、前記収納ラック本体の外部に引き出し可能に収納されている。前記入力ボード載置部は、前記引き出しテーブルの上に設けられ、前記電子機器用の入力ボードを載置する。前記入力ボードの保持枠構成部材は、横断面形状がＬ字状のゴム部材によって形成された長尺なＬ字状構造体を前記入力ボードの外周部位の形状に合わせて複数の切断部材に切断して形成される。前記接着部は、前記切断部材のＬ字状の前記ゴム部材の片側の外側面に形成される。前記入力ボードの保持枠は、前記入力ボード載置部の表面に前記入力ボードを固定する固定予定部分の周囲に合わせて前記切断部材を配置した状態で、前記切断部材の前記接着部を前記入力ボード載置部の表面に接合固定することで前記切断部材のＬ字状の前記ゴム部材の他の片側の外側面によって構成されている。
【図面の簡単な説明】
【０００９】
【図１】図１は、第１の実施形態の電子機器の収納ラック全体の概略構成を示す斜視図である。
【図２】図２は、第１の実施形態の収納ラックの引き出しテーブルを一部断面にして示す要部の正面図である。
【図３】図３は、第１の実施形態の収納ラックの引き出しテーブルの引き出し状態を示す平面図である。
【図４】図４は、第１の実施形態の収納ラックの引き出しテーブルの保持枠構成部材を示す斜視図である。
【図５】図５は、第１の実施形態の収納ラックの引き出しテーブルにキーボードの保持枠を固定した状態を示す平面図である。
【図６】図６は、第１の実施形態の収納ラックの引き出しテーブルにキーボードを装着した状態を示す平面図である。
【図７】図７は、第１の実施形態の収納ラックの引き出しテーブルを引き出して展開させた状態を示す斜視図である。
【図８】図８は、第１の実施形態の収納ラックの引き出しテーブルの収納状態を示す斜視図である。
【発明を実施するための形態】
【００１０】
図１乃至図８は、第１の実施形態を示す。図１は、第１の実施形態の電子機器の収納ラック全体の概略構成を示す斜視図である。図２は、第１の実施形態の収納ラックの引き出しテーブルを一部断面にして示す要部の正面図である。図３は、第１の実施形態の収納ラックの引き出しテーブルの引き出し状態を示す平面図である。図４は、第１の実施形態の収納ラックの引き出しテーブルの保持枠構成部材を示す斜視図である。図５は、第１の実施形態の収納ラックの引き出しテーブルにキーボードの保持枠を固定した状態を示す平面図である。図６は、第１の実施形態の収納ラックの引き出しテーブルにキーボードを装着した状態を示す平面図である。図７は、第１の実施形態の収納ラックの引き出しテーブルを引き出して展開させた状態を示す斜視図である。図８は、第１の実施形態の収納ラックの引き出しテーブルの収納状態を示す斜視図である。
【００１１】
本実施形態の電子機器の収納ラック１は、電子機器の収納ラック本体２と、引き出しテーブル３と、入力ボード載置部４と、入力ボードの保持枠構成部材５（図４参照）と、接着部６と、入力ボードの保持枠７と、を具備する。
【００１２】
収納ラック本体２は、主に鉛直方向に立脚された４本の支柱１１と、これらの支柱１１間に配置され、上下方向に積層されている複数段の棚板１２とを有する。各棚板１２には、地上屋内設備で使用される各種の計測機器などの電子機器１３が載置されている。各棚板１２上の電子機器１３には必要な電気接続がなされている。
【００１３】
また、収納ラック本体２には、少なくとも１つの棚板１２に引き出しテーブル３が形成されている。この引き出しテーブル３は、平板状の移動板１４と、この移動板１４を収納ラック本体２の内部に収納した収納位置から収納ラック本体２の外部に引き出した引き出し位置（図１参照）まで移動可能に支持するスライド機構１５とを有する。
【００１４】
移動板１４には、前側に入力ボード載置部４が配置され、この入力ボード載置部４の後方にマウス１６を収納する凹陥状のマウス収納部１７が形成されている。入力ボード載置部４は、電子機器１３用の入力ボード、例えばキーボード１８、またはタブレット端末のうちの少なくともいずれか一方を載置する。本実施形態では、キーボード１８を使用した例を示す。
【００１５】
スライド機構１５は、図２に示すように移動板１４の両側に配置された縦板状の移動レール１９と、この移動レール１９を引き出しテーブル３の前後方向にスライド可能に支持するガイド部材２０とを有する。そして、引き出しテーブル３は、移動板１４が収納ラック本体２の外部に引き出し可能に収納されている。
【００１６】
入力ボードの保持枠構成部材５は、図４に示すように横断面形状がＬ字状のゴム部材によって形成された長尺なＬ字状構造体２１を有する。Ｌ字状構造体２１は、縦壁部と横壁部とを有する。このＬ字状構造体２１は、キーボード１８の外周部位の形状に合わせて複数、本実施形態では４つの切断部材２１ａ、２１ｂ、２１ｃ、２１ｄに切断して使用される。ここで、２つの切断部材２１ａ、２１ｂは、例えばキーボード１８の前端１８ａおよび後端１８ｂの長さに合わせた寸法に切断されている。他の２つの切断部材２１ｃ、２１ｄは、例えばキーボード１８の右端１８ｃおよび左端１８ｄの長さに合わせた寸法に切断されている。
【００１７】
そして、４つの切断部材２１ａ、２１ｂ、２１ｃ、２１ｄは、移動板１４の入力ボード載置部４の上に図３中に仮想線で示す固定予定部分Ｇに矩形状に並べて配置される。この固定予定部分Ｇは、ほぼキーボード１８の外周部位の形状に合わせて形成される。ここで、２つの切断部材２１ａ、２１ｂは、図５に示すように例えばキーボード１８の前端１８ａおよび後端１８ｂに沿う位置にそれぞれ配置される。同様に、他の２つの切断部材２１ｃ、２１ｄは、例えばキーボード１８の右端１８ｃおよび左端１８ｄに沿う位置にそれぞれ配置される。このとき、各切断部材２１ａ〜２１ｄは、Ｌ字状のゴム部材の片側（横壁部）の外側面（下面）２１ｅを移動板１４の表面に対向させた状態で配置される。そして、各切断部材２１ａ〜２１ｄの下面２１ｅによって接着部６が形成されている。この接着部６は、例えば両面テープなどが貼着され、各切断部材２１ａ〜２１ｄの下面２１ｅの接着部６が移動板１４の表面に接着されて固定される。
【００１８】
さらに、各切断部材２１ａ〜２１ｄのＬ字状のゴム部材の他方（縦壁部）の外側面２１ｆは、移動板１４の表面に対しほぼ鉛直方向に立脚された状態で保持される。このとき、各切断部材２１ａ〜２１ｄは、横壁部の外側面２１ｅが入力ボード載置部４の固定予定部分Ｇの内側に配置される。そして、各切断部材２１ａ〜２１ｄの縦壁部の外側面２１ｆは、入力ボード載置部４の固定予定部分Ｇの外側に配置される。これにより、各切断部材２１ａ〜２１ｄのＬ字状のゴム部材の縦壁部の外側面２１ｆによって入力ボードの保持枠７が構成されている。本実施形態では、キーボード１８は、この入力ボードの保持枠７内に収容された状態で固定される。
【００１９】
また、引き出しテーブル３は、着脱可能なアームレスト２２と、前扉２３と、マウス台２４とが設けられている。アームレスト２２は、非使用時には図８に示すようにマウス収納部１７内のマウス１６と、入力ボードの保持枠７内に収容されたキーボード１８との間に収容される。
【００２０】
前扉２３は、移動板１４の前面に前倒し可能に設けられている。この前扉２３は、下端部に設けられた図示しないヒンジ部の回動軸を介して図８に示す閉位置から図１、３、５、６、７に示す開位置まで回動可能になっている。そして、図７に示すように引き出しテーブル３の移動板１４が収納ラック本体２の外部に引き出され、前扉２３が開位置まで前倒しされた状態で、アームレスト２２が前扉２３の裏面の上に置かれて使用されるようになっている。
【００２１】
また、移動板１４の右側面には、マウス台収容部２５が設けられている。このマウス台収容部２５には、平板状のマウス台２４が引き出し可能に収容されている。そして、マウス台２４は、必要に応じて図７に示すようにマウス台収容部２５の外部に引き出した状態でこのマウス台２４の上でマウス１６が使用可能になっている。
【００２２】
移動板１４の背面（後端部）には、フレキシブルケーブルカバー２６が設けられている。このフレキシブルケーブルカバー２６は、例えばキーボード１８や、マウス１６の配線コードなどのフレキシブルケーブルが収容されている。そして、引き出しテーブル３の移動板１４の出し入れ時には、移動板１４の出し入れ動作に連動してフレキシブルケーブルカバー２６が変形し、配線コードなどのフレキシブルケーブルが保護されている。
【００２３】
次に、上記構成の作用について説明する。本実施形態の電子機器の収納ラック１では、電子機器１３の非使用時には、引き出しテーブル３は、収納ラック本体２の内部に収納した収納位置で保持される。そして、電子機器１３の使用時には、必要に応じて引き出しテーブル３が収納ラック本体２の外部の引き出し位置（図１参照）に引き出される。
【００２４】
続いて、前扉２３が開位置まで前倒しされた状態で、アームレスト２２が前扉２３の裏面の上に置かれて使用される。さらに、必要に応じて図７に示すようにマウス台２４をマウス台収容部２５の外部に引き出した状態でこのマウス台２４の上でマウス１６が使用される。この状態で、引き出しテーブル３の上のキーボード１８や、マウス１６を操作することで電子機器１３が作動され、電子機器１３の計器盤などの画面表示が行われる。
【００２５】
本実施形態では、引き出しテーブル３の移動板１４の上に入力ボードの保持枠７を設けている。この入力ボードの保持枠７は、図４に示すように横断面形状がＬ字状のゴム部材によって形成された長尺な入力ボードの保持枠構成部材５を例えばハサミ等で任意の長さに切断して形成されている。本実施形態では、Ｌ字状のゴム部材によって形成された長尺なＬ字状構造体２１をキーボード１８の外周部位の形状に合わせて４つの切断部材２１ａ、２１ｂ、２１ｃ、２１ｄに切断して使用される。
【００２６】
そして、４つの切断部材２１ａ、２１ｂ、２１ｃ、２１ｄは、移動板１４の入力ボード載置部４の上に図３中に仮想線で示す固定予定部分Ｇに矩形状に並べて配置される。ここで、２つの切断部材２１ａ、２１ｂは、図５に示すように例えばキーボード１８の前端１８ａおよび後端１８ｂに沿う位置にそれぞれ配置される。同様に、他の２つの切断部材２１ｃ、２１ｄは、例えばキーボード１８の右端１８ｃおよび左端１８ｄに沿う位置にそれぞれ配置される。このとき、各切断部材２１ａ〜２１ｄは、Ｌ字状のゴム部材の片側（横壁部）の外側面（下面）２１ｅを移動板１４の表面に対向させた状態で配置される。そして、各切断部材２１ａ〜２１ｄの下面２１ｅによって形成される接着部６に例えば両面テープなどが貼着され、各切断部材２１ａ〜２１ｄの下面２１ｅの接着部６が移動板１４の表面に接着されて固定される。各切断部材２１ａ〜２１ｄの縦壁部の外側面２１ｆは、入力ボード載置部４の固定予定部分Ｇの外側に配置される。これにより、各切断部材２１ａ〜２１ｄのＬ字状のゴム部材の縦壁部の外側面２１ｆによって入力ボードの保持枠７が構成されている。本実施形態では、キーボード１８は、この入力ボードの保持枠７内に収容された状態で保持される。
【００２７】
そこで、上記構成のものにあっては次の効果を奏する。すなわち、本実施形態の電子機器の収納ラック１では、キーボード１８を固定する入力ボードの保持枠７としてＬ字状のゴム部材によって形成されたＬ字状構造体２１を有する入力ボードの保持枠構成部材５を使用している。この保持枠構成部材５は、キーボード１８の形状・寸法（キーボード１８の幅や、キーボード１８の奥行）に合わせて４つの切断部材２１ａ、２１ｂ、２１ｃ、２１ｄに切断される。さらに、４つの切断部材２１ａ、２１ｂ、２１ｃ、２１ｄは、移動板１４の入力ボード載置部４の上に図３中に仮想線で示す固定予定部分Ｇに矩形状に並べて配置される。そして、各切断部材２１ａ〜２１ｄの下面２１ｅには、例えば両面テープなどが貼着されて接着部６が形成され、各切断部材２１ａ〜２１ｄの下面２１ｅの接着部６が移動板１４の表面に接着されて固定される。
【００２８】
このように、本実施形態ではＬ字状のゴム部材のＬ字状構造体２１を切断し、４つの切断部材２１ａ、２１ｂ、２１ｃ、２１ｄを枠状に配置してキーボード１８の固定具である入力ボードの保持枠７として使用している。このゴム部材の保持枠７により、キーボード１８を引き出しテーブル３に圧入して固定することと、キーボード１８を保持することとが同時に行える。そのため、金属製の固定具を使用してキーボード１８を固定する場合のように組立て誤差を吸収させるため、クッションゴムが必要になることがないので、部品の削減ができる。
【００２９】
また、入力ボードの保持枠７は、貼付け式であるため、金属製の固定具を使用する場合のように引き出しテーブル３に取付け穴を成形する加工が不要になる。そのため、引き出しテーブル３の加工工程を削減できる。
【００３０】
さらに、Ｌ字状構造体２１は、ゴム素材で容易に形状変更できるため、キーボード１８の形状に合わせた再成形も容易である。さらに、Ｌ字状構造体２１は、ゴム素材であり容易に弾性変形可能なので、組立て誤差も吸収できる。そのため、引き出しテーブル３にキーボード１８を固定する場合の設計時間及び、組立時間の短縮ができる。
【００３１】
なお、上記実施形態では、保持枠構成部材５を４つの切断部材２１ａ、２１ｂ、２１ｃ、２１ｄに切断して使用する例を示したが、これに限定されるものではない。例えば、保持枠構成部材５を５個以上の複数個に切断し、移動板１４の入力ボード載置部４の上に図３中に仮想線で示す固定予定部分Ｇに沿って矩形状に並べて配置させる構成にしてもよい。
【００３２】
これらの実施形態によれば、引き出しテーブル上に入力ボードを固定する際の部品や、加工工程を削減でき、入力ボードの形状に合わせた再成形も容易で、組立て誤差も吸収でき、設計時間及び、組立時間の短縮ができる電子機器の収納ラックと、引き出しテーブル上の入力ボード固定方法を提供することができる。
【００３３】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１…収納ラック、２…収納ラック本体、３…引き出しテーブル、４…入力ボード載置部、５…保持枠構成部材、６…接着部、７…保持枠、１１…支柱、１２…棚板、１３…電子機器、１４…移動板、１５…スライド機構、１６…マウス、１７…マウス収納部、１８…キーボード（入力ボード）、１８ａ…前端、１８ｂ…後端、１８ｃ…右端、１８ｄ…左端、１９…移動レール、２０…ガイド部材、２１…Ｌ字状構造体、２１ａ〜２１ｄ…切断部材、２１ｅ…下面（外側面）、２１ｆ…外側面、２２…アームレスト、２３…前扉、２４…マウス台、２５…マウス台収容部、２６…フレキシブルケーブルカバー。
【図１】
2019029614.tif 000003
【図２】
2019029614.tif 000004
【図３】
2019029614.tif 000005
【図４】
2019029614.tif 000006
【図５】
2019029614.tif 000007
【図６】
2019029614.tif 000008
【図７】
2019029614.tif 000009
【図８】
2019029614.tif 000010